(57)【要約】【課題】きのこ栽培容器内外の空気の流通が確実にフィルタを介して成されるきのこ栽培容器用キャップを提供することを目的とする。【解決手段】フィルタ１４が内蓋部２０上の複数の支持用リブ１６の内側に第２通気孔１８を覆うよう収納され、内蓋部２０と押さえリブ１５との間で挟持されて、きのこ栽培容器内外の空気の流通がフィルタ１４を介して行われるよう設けられたきのこ栽培容器用キャップであって、キャップ本体１１内に収納されたフィルタ１４上に、フィルタ１４の第２通気孔１８を覆う部分を囲うように載置され、キャップ本体１１を上蓋１２によって封止した際には、フィルタ１４と共に押さえリブ１５と内蓋部２０との間で挟持されて、フィルタ１４の第２通気孔１８を覆う部分の外周を内蓋部２０に密着させるフィルタ押さえリング１３を設けたことを特徴とする。【選択図】    図１
2004261028.tif 000002
【特許請求の範囲】
【請求項１】
円形板状の内蓋部の外周部から上方に向かって筒状に設けられる上蓋用嵌合部と、前記内蓋部の下面に前記上蓋用嵌合部より小径で、該上蓋用嵌合部と同心に配設され、きのこ栽培容器の瓶口に嵌着される筒状の容器用嵌合部と、前記内蓋部の上面に、前記容器用嵌合部と同心で略同径の円弧状に間隔を空けて複数立設される支持用リブと、複数の該支持用リブより外側の内蓋部に開口して設けられる第１通気孔と、複数の前記支持用リブより内側の内蓋部に開口して設けられる第２通気孔とを有するキャップ本体と、
前記上蓋用嵌合部と嵌合する筒状の本体用嵌合部を有して前記上蓋用嵌合部を封止可能に設けられる蓋体と、前記蓋体の下面に配設される押さえリブとを有する上蓋とからなり、
シート状に形成されたフィルタが前記内蓋部上の複数の前記支持用リブの内側に前記第２通気孔を覆うよう収納され、前記内蓋部と前記押さえリブとの間で挟持されて、前記きのこ栽培容器内外の空気の流通が前記フィルタを介して行われるよう設けられたきのこ栽培容器用キャップであって、
前記キャップ本体内に収納された前記フィルタ上に、該フィルタの前記第２通気孔を覆う部分を囲うように載置され、前記キャップ本体を前記上蓋によって封止した際には、前記フィルタと共に前記押さえリブと前記内蓋部との間で挟持されて、前記フィルタの前記第２通気孔を覆う部分の外周を内蓋部に密着させるフィルタ押さえリングを設けたことを特徴とするきのこ栽培容器用キャップ。
【発明の詳細な説明】
【０００１】
【発明の属する技術分野】
本発明は、きのこ栽培容器用キャップに関する。
【０００２】
【従来の技術】
従来、きのこの培養工程では、図７に示されるように瓶形のきのこ栽培容器２３にきのこの培地材２４を充填して種菌を接種し、そのきのこ栽培容器２３をキャップ１００によって蓋をした状態で所定期間培養する方法が利用されている。このきのこ栽培容器用キャップ１００は、きのこ栽培容器２３を完全に密封するものではなく、フィルタを介して空気が流通可能に設けられているものである。
【０００３】
次にきのこ栽培容器用キャップ１００の構成について説明する。図４は、きのこ栽培容器用キャップ１００の構成を示す分解図である。図に示されるようにきのこ栽培容器用キャップ１００は、キャップ本体１１と上蓋１２とから成り、両者の間でフィルタ１４が装着されて使用されるものである。図５は、フィルタを内部に装着したきのこ栽培容器用キャップ１００の上視図であり、各部位の位置関係を示す。図６はその断面図である。
キャップ本体１１と上蓋１２は、それぞれプラスチック成形によって各部位が一体的に成形されている。
【０００４】
キャップ本体１１は、円形板状の内蓋部２０の外周部から上方に向かって筒状の上蓋用嵌合部２１が設けられ、内蓋部２０の下面には上蓋用嵌合部２１と同心に筒状の容器用嵌合部１９が配設されている。上蓋用嵌合部２１は容器用嵌合部１９よりも大径に形成されている。さらに、上蓋用嵌合部２１には、その開口端部内側に全周にわたって内周突起２１ａが配設されている。
また、内蓋部２０の上面には、容器用嵌合部１９と同心で略同径の或いは若干小径の円弧を描くように、支持用リブ１６が複数、等間隔空けて立設されている。
【０００５】
また、支持用リブ１６より外側の内蓋部２０には、スリット状に開口した第１通気孔１７が設けられている（図５参照）。そして、内蓋部２０の支持用リブ１６より内側には、支持用リブ１６から所定距離離間した位置に円形状に開口する第２通気孔１８が複数配設されている。
【０００６】
一方、上蓋１２は、円形板状の蓋体２６の同一面側に本体用嵌合部２２と複数の押さえリブ１５が配設されて形成されている。
筒状の本体用嵌合部２２は、蓋体２６の外周から若干内側に入った位置に蓋体２６に対して同心に配設されている。また、本体用嵌合部２２の外周面には、全周にわたって外周突起２２ａが設けられている。
また、押さえリブ１５は、蓋体２６の中心から放射状に延びるように複数設けられている。
【０００７】
合成樹脂、紙或いは不織布等から成るフィルタ１４は、内蓋部２０の上面の、複数の支持用リブ１６の内側で、余裕を持って複数の第２通気孔１８を一度に覆う大きさの円形のシート状に形成される。
また、フィルタ１４は、菌糸の成長に必要な空気の流通を可能とする通気性を有すると共に、菌糸の培養を阻害する雑菌等の侵入を防止するよう、所定以上の大きさのものは通過させない機能を有している。
【０００８】
上記構成からなるきのこ栽培容器用キャップ１００は、フィルタ１４を内蓋部２０の上面の、複数の支持用リブ１６の内側に載置した状態で、本体用嵌合部２２を上蓋用嵌合部２１内に挿入し、キャップ本体１１と上蓋１２を嵌め合わせて使用する。
この際、本体用嵌合部２２の外周突起２２ａと上蓋用嵌合部２１の内周突起２１ａが係合することにより抜け止めが成されて、キャップ本体１１と上蓋１２は確実に嵌め合わされる。この状態で蓋体２６の外周端面は、上蓋用嵌合部２１の外側面に揃っている。さらに、支持用リブ１６は蓋体２６に当接し、押さえリブ１５はフィルタ１４を上から内蓋部２０に押さえ付けている。また、放射線状に配設される複数の押さえリブ１５の外側端部１５ｂは、支持用リブ１６付近に位置している。
【０００９】
フィルタ１４が装着されたきのこ栽培容器用キャップ１００を使用する際には、きのこ栽培容器２３の瓶口を容器用嵌合部１９内に嵌入させて使用する。このとき、容器用嵌合部１９の内周面には突起（図示せず）が等間隔あけて複数（例えば４つ）設けられていて、きのこ栽培容器２３の瓶口付近の外周突起に係合するので、確実に瓶口に嵌着される。
【００１０】
きのこ栽培容器用キャップ１００が嵌着されたきのこ栽培容器内外の空気の流通は、例えば模式的に図５の矢印Ａや図６の矢印Ｂに示される。つまり、空気の流通は主に第１通気孔１７と、２つの支持用リブ１６間の隙間２７と、第２通気孔とを介して行なわれる。このとき、フィルタ１４が第２通気孔を覆うように配設されているので、空気はフィルタ１４を通過することとなり、きのこ栽培容器内への雑菌等の侵入を防止できる。
【００１１】
【発明が解決しようとする課題】
しかし、フィルタ１４は薄いシート状に形成されているので変形しやすく、水分等を含んで表面が波打ってしまうことがある。フィルタ１４がその外周部で波打って変形している場合、放射状に配設された複数の押さえリブ１５の間でフィルタ１４が内蓋部２０に密着されない部分が生じてしまう。フィルタ１４の外周部で内蓋部２０から浮いている状態の部分があると、空気はフィルタ１４を通過することなくきのこ栽培容器の内外を流通してしまう。これでは、きのこ栽培容器内への雑菌等の侵入を良好に防ぐことができない。
【００１２】
そこで、本発明はこれらの課題を解決すべくなされたものであり、その目的とするところは、きのこ栽培容器内外の空気の流通が確実にフィルタを介して成されるきのこ栽培容器用キャップを提供することにある。
【００１３】
【課題を解決するための手段】
本発明は、上記目的を達成するために次の構成を備える。
すなわち、本発明は、円形板状の内蓋部の外周部から上方に向かって筒状に設けられる上蓋用嵌合部と、前記内蓋部の下面に前記上蓋用嵌合部より小径で、該上蓋用嵌合部と同心に配設され、きのこ栽培容器の瓶口に嵌着される筒状の容器用嵌合部と、前記内蓋部の上面に、前記容器用嵌合部と同心で略同径の円弧状に間隔を空けて複数立設される支持用リブと、複数の該支持用リブより外側の内蓋部に開口して設けられる第１通気孔と、複数の前記支持用リブより内側の内蓋部に開口して設けられる第２通気孔とを有するキャップ本体と、前記上蓋用嵌合部と嵌合する筒状の本体用嵌合部を有して前記上蓋用嵌合部を封止可能に設けられる蓋体と、前記蓋体の下面に配設される押さえリブとを有する上蓋とからなり、
シート状に形成されたフィルタが前記内蓋部上の複数の前記支持用リブの内側に前記第２通気孔を覆うよう収納され、前記内蓋部と前記押さえリブとの間で挟持されて、前記きのこ栽培容器内外の空気の流通が前記フィルタを介して行われるよう設けられたきのこ栽培容器用キャップであって、前記キャップ本体内に収納された前記フィルタ上に、該フィルタの前記第２通気孔を覆う部分を囲うように載置され、前記キャップ本体を前記上蓋によって封止した際には、前記フィルタと共に前記押さえリブと前記内蓋部との間で挟持されて、前記フィルタの前記第２通気孔を覆う部分の外周を内蓋部に密着させるフィルタ押さえリングを設けたことを特徴とする。
【００１４】
これにより、きのこ栽培容器内外の空気の流通が、確実にフィルタを介して成されるきのこ栽培容器用キャップを提供することができる。
【００１５】
【発明の実施の形態】
以下、本発明の好適な実施の形態を添付図面と共に詳細に説明する。図１は、本発明によるきのこ栽培容器用キャップの構成を示す分解図である。図２は、本発明によるきのこ栽培容器用キャップの上視図であり、各部位の位置関係を示す。図３はその断面図である。
【００１６】
図１、２及び３に示されるように、本発明のきのこ栽培容器用キャップ１０は、フィルタ押さえリング１３を設けたことを特徴としていて、その他の構成については、図４、５及び６を用いて説明したきのこ栽培容器用キャップ１００と同一なので、図において同一番号を付して説明を省略する。
【００１７】
キャップ本体１１において支持用リブ１６は複数（図では４つ）配設されており、それぞれの内側に１つずつ、支持用リブ１６から同一距離２８（図２参照）を設けて第２通気孔１８が配設されている。複数（４つ）配設された第２通気孔１８は、同一の円形状に内蓋部２０が開口して形成されている。
フィルタ１４は、合成樹脂、紙或いは不織布等からなり、円弧状に形成された支持用リブ１６の内径より若干小さい径か、或いは略同一の径の円形のシート状に形成されて、内蓋部２０上の、複数の支持用リブ１６の内側に収納される。これによりフィルタ１４は、支持用リブ１６に妨げられることなく容易に収納ができ、余裕を持って複数の第２通気孔１８を一度に覆うことができる。
【００１８】
上記構成によるキャップ本体に対して、フィルタ押さえリング１３は、外径がフィルタ１４の径と略同一の長さに形成され、さらに図２に示されるように距離２８と略同一の長さの幅１３ａを有する。
このようなフィルタ押さえリング１３は、図２および図３に示されるように、複数の支持用リブ１６の内側で、フィルタ１４の外周部上に重ねた状態でキャップ本体１１が上蓋１２によって封止されて使用される。
このとき、放射線状に配設される複数の押さえリブ１５は、各々支持用リブ１６に干渉しない程度に支持用リブ１６付近まで延びる長さを有しているので、フィルタ押さえリング１３は、フィルタ１４と共に、複数の押さえリブ１５の外側端部１５ｂ側と内蓋部２０との間で挟持される。
【００１９】
従って、フィルタ押さえリング１３の厚さ１３ｈは、キャップ本体１１と上蓋１２の嵌合を妨げない程度の厚さに形成される。さらに厚さ１３ｈは、隙間２７を完全に閉塞しない程度の厚さであることは勿論である。
このように、フィルタ押さえリング１３は、フィルタ１４と共にきのこ栽培容器用キャップ１０内に装着された際には、空気の流通通路である、第２通気孔１８と支持用リブ１６の間の隙間２７を完全に塞ぐことのない外形を有して形成される。
【００２０】
さらに、フィルタ押さえリング１３と重ね合わされているフィルタ１４の外周部が、フィルタ押さえリング１３を介して出来るだけ均等に押さえリブ１５によって内蓋部２０へ押しつけられるように、フィルタ押さえリング１３はある程度の剛性を有する。
【００２１】
上記構成による、フィルタ１４とフィルタ押さえリング１３を装着したきのこ栽培容器用キャップ１０では、フィルタ１４の外周部が、フィルタ押さえリング１３を介して押さえリブ１５によって内蓋部２０に密着するよう押さえ付けられる。従って、フィルタ１４が波打つような変形状態であっても、その外周部において内蓋部２０の上面から浮き上がるようなことがない。これによってフィルタ１４の外周部が全周にわたって内蓋部２０の上面に密着すると、複数の第２通気孔１８が隙間なく一枚のフィルタ１４によって覆われることとなる。その上、フィルタ押さえリング１３はきのこ栽培容器内外の空気の流通を妨げることがないので、空気の流通が確実にフィルタ１４を介して成されるようになる。
【００２２】
本発明は、上記実施の形態に限定されるものではなく、発明の精神を逸脱しない範囲内で多くの改変が可能である。
きのこ栽培容器内外の空気の流通が確実にフィルタ１４を介して成されるためには、フィルタ１４の第２通気孔を覆う部分の外周が、フィルタ押さえリング１３を介して、押さえリブ１５によって内蓋部２０に押しつけられて密着すればよい。尚、ここで「フィルタの第２通気孔を覆う部分の外周」とは、第２通気孔が複数配設されている場合は、その複数の第２通気孔をまとめて覆う部分の外周を示す。
従って、フィルタ押さえリング１３が、フィルタ１４の径よりも小さい外径を有するものであっても、フィルタ１４の第２通気孔を覆う部分の外周上に重ね合わされる大きさであれば良い。このときは、フィルタ１４の第２通気孔を覆う部分を囲うように、フィルタ押さえリング１３をフィルタ１４上に載置し、その状態でキャップ本体１１と上蓋１２とを嵌合させると良い。
【００２３】
また、キャップ本体１１と上蓋１２を嵌合させたとき、押さえリブ１５が支持用リブ１６から比較的離れた位置に配置されるものの場合、或いは距離２８が非常に小さい長さの場合は、確実にフィルタ１４の外周部がフィルタ押さえリング１３を介して押さえリブ１５によって押圧されるように、幅１３ａの長さを距離２８より大きくして、第２通気孔１８を多少塞いでしまうものであっても良い。
また、フィルタ１４の外径よりもフィルタ押さえリング１３の外径の方が大きく、フィルタの外周部を完全に覆うフィルタ押さえリング１３であっても良い。この場合は、より良好に波打ったフィルタ１４を内蓋部に密着させることができる。
【００２４】
さらに、キャップ本体１１と上蓋１２を嵌合させた際に、フィルタ押さえリング１３が良好にフィルタ１４の第２通気孔を覆う部分を囲うように、フィルタ押さえリング１３を複数の押さえリブ１５の下端部に固定してもよい。これによると、きのこ栽培容器用キャップ１０内へのフィルタ押さえリング１３の収納忘れを防止することができる。
【００２５】
図８は他の形状からなるキャップ本体３１の斜視図である。このキャップ本体３１は、図１に示したキャップ本体１１とは、第２通気孔１８の形状が異なるだけで、他の構成については同様である。キャップ本体３１において複数（図では４つ）の支持用リブ１６は、内蓋部２０と同心の円弧を描くように配設されている。これに対し複数（図では４つ）の第２通気孔１８は、支持用リブ１６の内側において、内蓋部２０と同心でありかつ前述の支持用リブ１６の円弧より小径の１つの円から形成される複数の扇形状に、内蓋部２０が開口して形成されている。つまり、第２通気孔１８は、支持用リブ１６に対して一定距離離間して配設されている。
このようなキャップ本体３１に対しても本発明は好適であり、前述と同様にフィルタ押さえリングを用いて、フィルタの第２通気孔を覆う部分の外周を内蓋部に良好に密着させることができる。
いずれにしても本発明によれば、既存のきのこ栽培容器用キャップを使用することができるので有利である。
【００２６】
【発明の効果】
本発明によれば、フィルタに波打つような変形があっても、フィルタの第２通気孔を覆う部分の外周を内蓋部に良好に密着させることができ、きのこ栽培容器内外の空気の流通が確実にフィルタを介して成される。これにより、きのこ栽培容器内への雑菌等の侵入を防ぐことができる。
【図面の簡単な説明】
【図１】本発明に係るきのこ栽培容器用キャップの構成を示す分解図である。
【図２】図１に示したきのこ栽培容器用キャップの上視図である。
【図３】図１に示したきのこ栽培容器用キャップの断面図である。
【図４】従来のきのこ栽培容器用キャップの構成を示す分解図である。
【図５】図４に示したきのこ栽培容器用キャップの上視図である。
【図６】図４に示したきのこ栽培容器用キャップの断面図である。
【図７】きのこ栽培容器用キャップをきのこ栽培容器に装着した際の概略図である。
【図８】他の形状からなるキャップ本体の斜視図である。
【符号の説明】
１０  きのこ栽培容器用キャップ
１１  キャップ本体
１２  上蓋
１３  フィルタ押さえリング
１４  フィルタ
１５  押さえリブ
１６  支持用リブ
１７  第１通気孔
１８  第２通気孔
１９  容器用嵌合部
２０  内蓋部
２１  上蓋用嵌合部
２２  本体用嵌合部
２３  きのこ栽培容器
２４  きのこ培地材
２５  フランジ部
２６  蓋体
２７  隙間
２８  距離
【図１】
2004261028.tif 000003
【図２】
2004261028.tif 000004
【図３】
2004261028.tif 000005
【図４】
2004261028.tif 000006
【図５】
2004261028.tif 000007
【図６】
2004261028.tif 000008
【図７】
2004261028.tif 000009
【図８】
2004261028.tif 000010